(57)【要約】【課題】セキュリティを照合しまたはリフト設備によって人物を輸送するためのシステム、およびこのシステムの動作方法を提供する。【解決手段】人物Ｐが、少なくとも１つの認証信号Ｐ０によって認証される。このために、人物Ｐが携帯している少なくとも１つの移動可能な認証装置Ｆが、人物Ｐの認証信号Ｐ０を検出して、認証信号Ｐ０を少なくとも１つの人物照会Ｐ１によって照合する。認証信号Ｐ０と人物照会Ｐ１が一致する場合、少なくとも１つの識別コードＰ２が提供される。識別コードＰ２は、固定認識装置Ｅによって検出されて、所定の移動先Ｐ３、または人物Ｐによって認識装置Ｅで入力された移動先Ｐ３に割り当てられる。【選択図】      図１
2004352502.tif 000002
【特許請求の範囲】
【請求項１】
セキュリティを照合しまたはリフト設備（Ａ）によって人物を輸送するための方法であって、人物（Ｐ）の少なくとも１つの認証信号（Ｐ０）が、少なくとも１つの移動可能な認証装置（Ｆ）によって検出され、認証信号（Ｐ０）は、少なくとも１つの人物照会（Ｐ１）によって照合され、認証信号（Ｐ０）と人物照会（Ｐ１）が一致する場合、少なくとも１つの識別コード（Ｐ２）が提供され、該識別コード（Ｐ２）は、前記エレベータ設備（Ａ）の固定認識装置（Ｅ）によって検出されて、所定の移動先（Ｐ３）、または前記人物（Ｐ）によって前記認識装置（Ｅ）で入力された移動先（Ｐ３）が、前記識別コードに割り当てられる方法。
【請求項２】
移動可能な認証装置（Ｆ）は、少なくとも１つの外部エネルギー源によって電流が供給されることを特徴とする、請求項１に記載の方法。
【請求項３】
生体認証信号、有利には指紋、手の形状、顔のプロファイル、虹彩パターン、網膜スキャン、サーモグラム、におい、音声、署名、またはボタンを押すことが、認証信号（Ｐ０）として使用されることを特徴とする、請求項１または２に記載の方法。
【請求項４】
少なくとも１つのユーザ照会（Ｐ４）が、検出された識別コード（Ｐ２）に対して存在しているか否かが照合されることを特徴とする、請求項１から３のいずれか一項に記載の方法。
【請求項５】
人物（Ｐ）の移動先（Ｐ３）が、少なくとも１つのアクセス認証（Ｂ５）によって照合され、および／または人物（Ｐ）の移動先（Ｐ３）が、アクセス認証（Ｐ５）の移動先のリストと比較されることを特徴とする、請求項１から４のいずれか一項に記載の方法。
【請求項６】
セキュリティを照合しまたはリフト設備（Ａ）によって人物を輸送するためのシステムであって、少なくとも１つの移動可能な認証装置（Ｆ）を備え、該移動可能な認証装置（Ｆ）が、人物（Ｐ）によって携帯され、前記人物（Ｐ）の少なくとも１つの認証信号（Ｐ０）を検出し、前記認証信号（Ｐ０）が少なくとも１つの人物照会（Ｐ１）に一致しているか否かを照合し、認証信号（Ｐ０）と人物照会（Ｐ１）が一致している場合には、少なくとも１つの識別コード（Ｐ２）を提供し、前記システムがさらに、前記エレベータ設備（Ａ）の固定認識装置（Ｅ）を備え、該固定認識装置（Ｅ）が、前記識別コード（Ｐ２）を検出し、前記識別コードに、所定の移動先（Ｐ３）、または前記人物（Ｐ）によって前記固定認識装置（Ｅ）で入力された移動先（Ｐ３）を割り当てるシステム。
【請求項７】
センサ（Ｓ）が、指紋、手の形状、顔のプロファイル、虹彩パターン、網膜スキャン、または署名を検出するためのカメラであり、および／または前記センサ（Ｓ）が、サーモグラムを検出するためのサーマルカメラであり、および／または前記センサ（Ｓ）が、においを検出するためのにおいセンサであり、および／または前記センサ（Ｓ）が、音声を検出するためのマイクであり、および／または前記センサ（Ｓ）が、ボタンを押すことを検出するためのボタンであることを特徴とする、請求項６に記載のシステム。
【請求項８】
移動可能な認証装置（Ｆ）が、電流供給用の外部エネルギー源を有していることを特徴とする、請求項６または７に記載のシステム。
【請求項９】
移動可能な認証装置（Ｆ）が、少なくとも１つの送受信ユニットを備えており、固定認識装置（Ｅ）が、少なくとも１つの送受信ユニットを備えていることを特徴とする、請求項６から８のいずれか一項に記載のシステム。
【請求項１０】
固定認識装置（Ｅ）が、移動先（Ｐ３）を入力するための少なくとも１つの入力手段を備えていることを特徴とする、請求項６から９のいずれか一項に記載のシステム。
【発明の詳細な説明】
【技術分野】
【０００１】
本発明は、独立請求項に従った、セキュリティを照合しまたはリフト設備によって人物を輸送するためのシステム、およびこのシステムの動作方法に関する。
【背景技術】
【０００２】
人物のセキュリティを照合するためのシステムは、知られている。例えば、このようなシステムは、建物、階、部屋などに対する人物の出入りを制御している。
【０００３】
人物を輸送するためのインテリジェントシステムは、識別によって制御される、輸送手段での人物の輸送を可能にする。欧州特許出願公開第０６９９６１７号明細書は、エレベータ設備を制御するための装置を開示しており、該エレベータ設備は、識別コードを介して人物によって制御されている。その場合、認識装置が、識別コードを認識し、識別コードを制御信号として処理ユニットに渡す。処理ユニットは、制御信号を読取り、制御信号に対して所定の所望の移動先を割り当てる。従って識別コードを所持する人は、識別され、移動先が所持する人に割り当てられる。処理ユニットは、対応する制御信号をエレベータ設備に送信して、エレベータ設備は、当該人物を移動先に自動的に運ぶ。
【０００４】
認証されない人物が、建物、階、部屋などにアクセスするために、およびエレベータ設備によって輸送されることを可能にするために、識別コードを使用可能であるということは、不都合であると判明している。
【０００５】
国際公開第０１／２５１２８号明細書によると、人物は、移動可能な入力装置を携帯し、この移動可能な入力装置は、音声認識によって認証を実行して、その人物が本人であるか否かを照合する。人物は、またこの移動可能な入力装置によって自分の移動先を入力する。移動可能な入力装置は、制御信号として移動先を処理ユニットへ伝える。次に、処理ユニットは、対応する制御信号を、自動的に人物を移動先に輸送するエレベータ設備に通信する。同様に独自の電流供給を必要とするこの入力装置の相対的な扱い難さは、不都合である。
【特許文献１】欧州特許出願公開第０６９９６１７号明細書
【特許文献２】国際公開第０１／２５１２８号パンフレット
【発明の開示】
【発明が解決しようとする課題】
【０００６】
本発明の目的は、セキュリティを照合しまたはリフト設備によって人物を輸送するためのシステム、およびこのシステムの動作方法を提供することであり、識別の信頼性が、簡単な態様で、かつ同時に移動先を入力できるというより使いやすい方法で増大する。
【課題を解決するための手段】
【０００７】
この目的は、独立請求項に従った本発明によって達成される。
【０００８】
本発明は、エレベータ設備によって輸送される人物が、少なくとも１つの移動可能な認証装置による、少なくとも１つの認証信号の検出によって認証されるという点において、目的を達成している。このために、認証信号が、当該人物から検出され、少なくとも１つの人物照会（リファレンス）によって照合される。認証信号および人物照会が一致すると、少なくとも１つの識別コードが提供される。識別コードは、固定認識装置によって検出される。所定の移動先、または当該人物によって認識装置に入力される移動先が、識別コードに割り当てられる。
【０００９】
有利には、移動可能な認証装置は、サイズおよび重量がクレジットカードと同様であり、人物はそれを携帯し、いつでも簡単かつ素早く使用することができる。例えば、人物は、カードに類似している移動可能な認証装置を自分の手でエレベータ設備の近くの指紋センサに置くことによって、人物の認証と行き先の呼び出しが、すぐに実行される。さらに、この移動可能な認証装置を１人の人物が使用することは、非常に衛生的である。有利には、移動可能な認証装置は、独自のエネルギー源を必要としないが、少なくとも１つの外部エネルギー源によって電流供給され、これによってこの移動可能な認証装置を、簡単に使用しかつ維持し、経済的に提供する。
【００１０】
生体認証信号が、認証信号として使用される。有利には、指紋、手の形状、顔のプロファイル、虹彩パターン、網膜スキャン、サーモグラム、におい、音声、署名、またはボタンを押すことが、認証信号として使用される。
【００１１】
有利には、固定認識装置は、移動先を入力するための少なくとも１つの入力手段を備えており、入力手段は、ボタンまたはタッチスクリーンを備え、知られており実績のある制御／表示パネルであってもよい。このことは、移動可能な認証装置が、そのような入力手段を含んでいる必要がなく、それに応じて小型かつ簡素に構成可能であるという利点を有している。
【００１２】
有利には、識別コードは、人物がエレベータ設備の登録ユーザであるか否かを確証するために、ユーザ照会によって照合される。この識別において、少なくとも１つのユーザ照会が、検出された識別コードに対して存在しているか否かが照合される。
【００１３】
有利には、識別コードとユーザ照会（リファレンス）が一致する場合、当該人物を移動先に輸送するために、少なくとも１つの制御信号がエレベータ設備に送信される。認証できなかった場合、または識別できなかった場合には、当該人物をエレベータケージ内にロックしたり、当該人物の移動先へのアクセスを拒否したりするために、少なくとも１つのアラーム信号が送信される。
【００１４】
有利には、認証および識別に加えて、当該人物が、また移動先への認証アクセスを有しているか否かが確証される、アクセス制御が実行される。有利には、移動先へのアクセス認証は、少なくとも１つのアクセス認証によって照合される。当該人物の移動先は、有利には、アクセス認証の移動先リストと比較される。移動先に対するアクセス認証がある場合、当該人物を移動先に輸送するために、少なくとも１つの制御信号がエレベータ設備に通信される。アクセス照合ができなかった場合、当該人物をエレベータケージ内にロックしたり、移動先への当該人物のアクセスを拒否したりするために、少なくとも１つのアラーム信号が通信される。
【００１５】
本発明は、エレベータ設備における人物の識別に専用に、また同様にエレベータ設備における人物の代替または補足の識別に適している。例えば、このために、人物が携帯している移動可能な認証装置は、エレベータ設備近くのさらなる固定認証装置によって補足されている。このような必要性は、例えば、銀行、軍事的保護領域などの高いセキュリティ要件を有する領域に存在する。
【００１６】
本発明を、２つの実施形態に基づいて、例によって以下に詳細に説明する。その場合、図１および図２は、各々、セキュリティを照合しまたは人物を輸送するためのシステムの基本的な図を示している。
【発明を実施するための最良の形態】
【００１７】
これらの基本的な図において、人物Ｐが、エレベータ設備Ａによって輸送される。認証可能な物品が、同様に人物の代わりに輸送されることができる。エレベータ設備Ａは、建物の内側または外側に取り付けられており、エレベータケージ、駆動装置、およびエレベータ制御装置ＡＳを有する、任意のエレベータ設備であってよい。搬送ケーブルに固定されているエレベータケージと、搬送ケーブルに固定されているカウンターウェイトとともに、駆動装置が概略的に図示されている。すべての知られており実績のあるエレベータ設備が、使用可能である。例えば、流体圧エレベータ設備、または駆動装置がケージに直接固定されているようなエレベータ設備、および当然エスカレータは、使用可能である。
【００１８】
認証装置Ｆが、人物Ｐの少なくとも１つの認証信号Ｐ０を検出し、認証信号Ｐ０を照合して、識別コードＰ２を提供する。認証に関する以下の生体認証方法が、好ましくは使用される。
【００１９】
指紋。人物Ｐの指紋が検出、例えばスキャンされる。好ましくは、人物Ｐは、認証装置Ｆの表面上に指を置くと、指紋が、グレイトーン画像としてカメラによって撮影される。グレイトーンは好ましくは２値化されるか、または線幅が縮小される。詳細がマークされる。
【００２０】
手の形状。人物Ｐの手の寸法が検出される。人物Ｐは、好ましくは、認証装置Ｆの表面上に自分の手の少なくとも一部を置くと、手の３次元シルエットが、カメラによって撮影される。突出部が、好ましくは、手を位置決めする助けとなる。
【００２１】
顔のプロファイル。人物Ｐの顔のプロファイルが、３次元モデルとして、２次元パターンとして、または赤外線画像として、ならびにこれらの方法の組み合わせとして検出可能である。さらに、白黒画像またはカラー画像が、検出可能である。検出角度を変えることができ、従ってプロファイル画像、正面の画像、または一般的な斜視画像が検出可能である。時間に関して、静止画像または画像シーケンスが検出可能である。認証装置Ｆは、人物Ｐの顔のプロファイルの少なくとも一部をカメラによって撮影する。
【００２２】
虹彩プロファイル。人物Ｐの虹彩のテクスチャが検出される。好ましくは、人物Ｐは、認証装置Ｆの前に数十センチメートルの間隔をあけて立ち、カメラをのぞくと、このカメラは虹彩テクスチャを撮影する。この撮影は、ディジタル化されて虹彩コードを形成する。虹彩は、好ましくは環状領域に分割されて、特徴がマークされる。
【００２３】
網膜スキャン。人物Ｐの網膜静脈の構成が検出、例えばスキャンされる。人物Ｐは、好ましくは認証装置Ｆの前に数十センチメートルの距離に立ち、カメラをのぞくと、このカメラは網膜静脈の構成を撮影する。このために、目は、好ましくは赤外線で照射される。目の光受容構成部は、赤外線を反射して、この反射が撮影される。この撮影は、ディジタル化されて網膜コードを形成し、特徴がマークされる。
【００２４】
サーモグラム。人物Ｐの熱放射が検出される。好ましくは、認証装置Ｆのサーマルカメラが、顔または体全体のサーモグラムを記録する。
【００２５】
におい。人物Ｐのにおいが、認証装置Ｆのにおいセンサによって検出される。
【００２６】
音声。人物Ｐの音声ピッチ、音声ブレーク、アクセント、または言語障害が、検出される。そのために、人物Ｐは認証装置Ｆのマイクに話し、１つ以上のフレーズが記録される。
【００２７】
署名。人物Ｐの署名が検出、例えばスキャンされる。人物Ｐは、認証装置Ｆの表面上に署名を書き、この署名がカメラによって撮影される。好ましくは、署名を書く時のストローク、動き、または音が、マークされまたは判断される。
【００２８】
ボタンを押すこと。人物Ｐがキーボードのボタンを押す態様および方法が検出される。好ましくは、認証装置Ｆは、ボタンを押す時の力または動きをセンサによって判断する。
【００２９】
有利には、認証装置Ｆは、認証信号Ｐ０を検出するための少なくとも１つのセンサＳと、人物照会Ｐ１をファイリングするための少なくとも１つのデータ記憶装置Ｂ１と、認識ソフトウェアを記憶するための少なくとも１つのデータ記憶装置と、認識ソフトウェアを実行するための少なくとも１つのコンピュータユニットとを備えている。センサＳは、例えば、指紋、手の形状、顔のプロファイル、虹彩プロファイル、網膜スキャン、または署名を検出するためのカメラである。センサＳは、例えば、サーモグラムを検出するためのサーマルカメラである。センサＳは、例えば、においを検出するためのにおいセンサである。センサＳは、例えば、音声を検出するためのマイクである。センサＳは、例えば、ボタンを押すことを検出するためのボタンである。少なくとも１つの認証信号Ｐ０が、有利にはディジタル化され、少なくとも１つの先行する方法ステップにおいて、人物照会Ｐ１としてファイリングされる。認識ソフトウェアによって、検出された認証信号Ｐ０とファイリングされている人物照会Ｐ１との比較による認証が実行される。例えば、認証信号Ｐ０と人物照会Ｐ１の特定の特徴が相互に比較される。これは、エレベータの分野の当業者に使用可能な標準ソフトウェアによって実行される。
【００３０】
認証信号Ｐ０は、人物Ｐに多かれ少なかれ一意に割当可能であり、認証対象のユーザの一部に関する承認が、大なり小なり高くなる。従って、虹彩パターンは、人物にきわめて一意に割り当てられることが可能であるが、虹彩パターン認証の承認は低い。
【００３１】
好ましい実施形態において、少なくとも２つの認証信号Ｐ０が、人物Ｐより検出され照合される。とりわけセキュリティの高いシステムにおいて（従って銀行や、軍事施設などのセキュリティが重視される建物において）、複数の認証信号Ｐ０が人物Ｐより検出され評価される。例えば、人物Ｐの指紋と虹彩パターンが検出される。従って認証の一意性は大きく増大する。
【００３２】
有利には、エレベータケージに入る前に、認証が実行される。有利には、認証装置Ｆは、エレベータ設備Ａのきわめて近くで使用される。有利には、認証装置Ｆとエレベータ設備Ａの認識装置Ｅは、送受信ユニットを備えている。例えば、認証装置Ｆは、無線信号によってコードを送受信するトランスポンダを備えている。このために、一般的な無線周波数は９００ＭＨｚから６ＧＨｚである。例えば認証装置は、認証装置Ｆの受信ユニットが、認識装置Ｅの送信ユニットから数十センチメートルの間隔をあけて配置されるとすぐに、認識装置Ｅから少なくとも１つの認識信号を自動的に受信する。本発明の理解によって、当業者は、明らかに他の送受信ユニットおよび他の無線周波数を使用することもできる。
【００３３】
認証装置Ｆは、移動可能であり、すなわち人物Ｐは、クレジットカードに似たサイズおよび重量の認証装置Ｆを携帯し、いつでも簡単かつ素早く使用することができる。１人の人物による認証装置Ｆの使用は、非常に衛生的である。実施形態の第１の有利な形態において、認証装置Ｆは、独自のエネルギー源を必要としないが、電流供給用の外部エネルギー源を使用する。例えば、認証装置Ｆには、電磁界によって電流が供給される。これは、認証装置Ｆが、認識装置Ｅから数十センチメートルの間隔をあけて配置されるとすぐに、認識装置Ｅを介する無線によって行われる。実施形態の更なる有利な形態において、認証装置Ｆは、エネルギーに関して自律的である、すなわちバッテリ、蓄電池、燃料セルなどの独自の電流供給部を有している。
【００３４】
有利には、認証装置Ｆまたは認識装置Ｅは、音響、光学、または機械的デマンド信号を出力するための、少なくとも１つの出力手段を備えている。例えばトーンシーケンス形態の音響デマンド信号が使用され、例えば光の形態の光学デマンド信号が使用され、または例えば振動の形態の機械的デマンド信号が使用される。明らかに、デマンド信号はまた相互に組合わされて変更可能である。
【００３５】
有利には、人物Ｐは、識別ならびに認証を実行するために、所定の時間ウィンドウを有している。例えば、センサＳおよび認証装置Ｆの認識ソフトウェアによる認証は、ちょうど１５秒かかる。時間ウィンドウを６０秒に設定することによって、人物Ｐは、この認証を実際に実行するためにも、すなわち認証装置Ｆを所定の位置におき、認証信号を検出し、検出された認証信号とファイリングされている人物照会Ｐ１を比較し、結果を認識装置Ｅに送信するためにも、十分な時間を有することになる。明らかに、人物の認証は、また、使用されるそれぞれのセンサに応じて、１５秒未満、例えば５秒未満、例えば１秒未満であってもよい。
【００３６】
認証結果は、肯定または否定のいずれかである。認証が肯定の場合、すなわち認証信号Ｐ０と人物照会Ｐ１が一致する場合、出力ソフトウェアは、少なくとも１つの肯定認証信号Ｐ１＋を提供する。認証が否定の場合、すなわち認証信号Ｐ０と人物照会Ｐ１が一致しない場合、出力ソフトウェアは、少なくとも１つのアラーム信号Ｐ１３を提供する。有利には、識別コードＰ２が設定されて、少なくとも１つの先行する方法ステップにおいてファイリングされる。例えば、識別コードＰ２は、数列、または数字および文字の列である。
【００３７】
基本的に、認証装置Ｆにファイリングされている識別コードＰ２、認証装置Ｆのアラーム信号Ｐ１３、または人物Ｐに知られている認証コードＰ２が、送信される。最初の場合、認証装置Ｆは、有利には、識別コードＰ２をファイリングするための少なくとも１つの第２のデータ記憶装置Ｂ２と、出力ソフトウェアを記憶するための少なくとも１つのデータ記憶装置と、出力ソフトウェアを実行するための少なくとも１つのコンピュータユニットとを備えている。出力ソフトウェアは、肯定認証信号Ｐ１＋の有無を照合し、それに基づいてファイリングされている識別コードＰ２を提供する。
【００３８】
識別コードＰ２またはアラーム信号Ｐ１３の認識装置Ｅへの送信は、多数の方法で実行可能である。
【００３９】
従って、認証装置Ｆが、送受信ユニットを備えており、認証装置Ｆにファイリングされている識別コードＰ２、または認証装置Ｆのアラーム信号Ｐ１３を無線によって認識装置Ｅに通信することが可能である。
【００４０】
例えば、人物Ｐに、出力手段を有する認証装置Ｆから、音響的に、光学的に、または機械的に識別コードＰ２またはアラーム信号Ｐ１３が提供され、人物Ｐが、識別コードＰ２を認識装置Ｅの入力手段に入力することもまた可能である。
【００４１】
これらに代わって、人物Ｐが、出力手段を有する認証装置Ｆまたは認識装置Ｅから、人物Ｐに知られている識別コードＰ２を認識装置Ｅに入力するための音響または光学デマンド信号を受信することもまた可能である。
【００４２】
人物Ｐが、出力手段を有する認証装置Ｆまたは認識装置Ｅから、人物Ｐに知られている識別コードＰ２を認証装置Ｆの入力手段によって入力するための音響または光学デマンド信号を受信することもまた可能である。
【００４３】
送信の可能性は、認識装置Ｅによって設定されている時間ウィンドウ内で行われることができる。しかしながら、認識装置Ｅに緊急の送信を通知するために、または認識装置Ｅに識別コードＰ２の送信のための時間ウィンドウを設定するために、認証装置Ｆが、少なくとも１つの送信信号を無線によって認識装置Ｅに送信することもまた可能である。最終的に、認証装置Ｆは、認識装置Ｅに、肯定認証信号Ｐ１＋またはアラーム信号Ｐ１３を送信信号として送信することが可能である。
【００４４】
送信の可能性は、組み合わせられかつ変更されることができる。例えば、人物が、識別コードＰ２を認証装置Ｆの入力手段によって入力し、認証装置Ｆが、この識別コードＰ２を送受信ユニットによって無線で認識装置Ｅに送信することが可能である。例えば、認証装置Ｆまたは認識装置Ｅの音響および／または光学および／または機械的入力手段を使用することが可能である。音響入力手段は、例えばマイクであり、光学入力手段は、例えばスクリーン（タッチスクリーン）であり、機械的入力手段は、例えばキーボードである。
【００４５】
本発明の理解によって、当業者は、認証装置Ｆ、認識装置Ｅ、または照合装置Ｃの多数の変形例を実現することができる。例えば、認証装置Ｆは、携帯電話、腕時計、ポータブルコンピュータ（ラップトップ、携帯型など）、カメラ、写真用機器、ポータブルラジオ、音楽再生機器（ＭＰ３プレーヤ、ＣＤプレーヤなど）などの、人物が日常携帯可能な装置の構成部品であってもよい。さらに、認証装置Ｆは、また複数のこのような機器の構成部品であってもよい。最後に、認証装置Ｆは、任意の無線ネットワークによって認識装置Ｅと通信することができ、または直接照合装置Ｃと通信することができる。認証装置Ｆ、認識装置Ｅ、および照合装置Ｃの構成部品は、市販されており高価ではない。
【００４６】
認識装置Ｅは、有利には、エレベータ設備Ａへのエントランスの固定位置に取り付けられている。有利には、認識装置Ｅは、エレベータ設備Ａの制御／表示パネルの構成部品である。有利には、制御／表示パネルは、エレベータ設備Ａの階ドア近くに取り付けられている。図１に従った本発明の実施形態において、人物Ｐの移動先Ｐ３が、事前決定されており、照合装置Ｃの少なくとも１つの第３のデータ記憶装置Ｂ３にファイリングされている。図２に従った本発明の実施形態において、人物Ｐは、認識装置Ｅの入力手段によって移動先Ｐ３を入力する。
【００４７】
識別コードＰ２および／または移動先Ｐ３は、認識装置Ｅによって照合装置Ｃに送信される。有利には、認識装置Ｅおよび照合装置Ｃは、ケーブルまたは無線によって相互に通信している。その場合、認識装置Ｅおよび照合装置Ｃは、単一のシステムを形成することができる。例えば、建物２０が、複数の階と、相互に隣接して配置されている３つのエレベータを有するエレベータ設備Ａとを備えている。階ごとに少なくとも１つの認識装置Ｅが、エレベータへのエントランス近くに置かれている。例えば、各認識装置Ｅは、制御／表示パネルのハウジングに押し込み可能なインサートである。例えば、各制御／表示パネルは、少なくとも１つのバスインサートを有している。これらのバスインサートは、ＬＯＮバスなどのバシステムに接続されている。認識装置Ｅは、バスシステムによって相互に通信している。例えば、照合装置Ｃも、またインサートであり、制御／表示パネルのうちの１つに押し込まれている。さらに、照合装置Ｃは、バスシステムによって認識装置Ｅと通信している。
【００４８】
照合装置Ｃは、少なくとも１つのファイリングされているユーザ照会Ｐ４と人物Ｐの識別コードＰ２との関連を照合し、人物Ｐの移動先Ｐ３に対する少なくとも１つのファイリングされているアクセス認証Ｐ５の有無を照合する。そのために、照合装置Ｃは、少なくとも１つのユーザ照会Ｐ４をファイリングするための少なくとも１つの第４のデータ記憶装置Ｂ４と、少なくとも１つのアクセス認証Ｐ５をファイリングするための少なくとも１つの第５のデータ記憶装置Ｂ５と、照合ソフトウェアを記憶するための少なくとも１つのデータ記憶装置と、照合ソフトウェアを実行するための少なくとも１つのコンピュータユニットとを備えている。照合装置Ｃは、中央遠隔サーバであってもよい。ユーザ照会Ｐ４またはアクセス認証Ｐ５は、設定されて、少なくとも１つの先行する方法ステップにおいてファイリングされている。例えば、ユーザ照会Ｐ４は、数列、または数字および文字の列である。例えば、アクセス認証Ｐ５は、人物Ｐがアクセスを認証されている移動先のリストからなる。
【００４９】
照合ソフトウェアは、ユーザ照会Ｐ４が、検出された識別コードＰ２に対してファイリングされているか否かを照合する。例えば、識別コードＰ２およびユーザ照会Ｐ４の特定の特徴が、相互に関連付けられている。これは、エレベータの分野の当業者に使用可能である標準ソフトウェアによって実行される。
【００５０】
識別結果は、肯定または否定のいずれかである。識別が肯定の場合、すなわち識別コードＰ２とユーザ照会Ｐ４とが一致している場合、照合装置Ｃは、少なくとも１つの肯定識別信号Ｐ４＋を提供する。識別が否定の場合、すなわち、識別コードＰ２とユーザ照会Ｐ４とが一致していない場合、照合ソフトウェアは、少なくとも１つのアラーム信号Ｐ１３を提供する。
【００５１】
図１および図２に従った本発明の例示の実施形態は、図１に従った本発明の実施形態では、肯定識別信号Ｐ４＋が有る場合は、所定の移動先Ｐ３が照合装置Ｃに提供されるのに対して、図２に従った本発明の実施形態では、移動先Ｐ３は認識装置Ｅに提供される点において、相互に異なっている。例えば、監視ソフトウェアは、肯定識別信号Ｐ４＋の存在を照合し、それに基づいてファイリングされている所定の移動先を提供する。
【００５２】
次に照合ソフトウェアは、人物Ｐが、移動先Ｐ３へ輸送されることが認証されているか、または移動先Ｐ３へのアクセスについて認証されているか否かを照合する。例えば、照合ソフトウェアは、移動先Ｐ３が、アクセス認証Ｐ５の移動先リストに挙がっているか否かの比較を実行する。これは、エレベータの分野の当業者に使用可能な標準ソフトウェアによって実行される。
【００５３】
アクセス認証Ｂ５の照合が肯定の場合、照合装置Ｃは、人物Ｐを移動先Ｐ３に輸送するために、少なくとも１つの制御信号Ｐ６を、エレベータ設備Ａのエレベータ制御装置ＡＳに送信する。アクセス認証の照合が否定の場合、照合装置Ｃは、少なくとも１つのアラーム信号Ｐ１３を送信する。
【００５４】
アラーム信号Ｐ１３が有る場合、異なる手順が実行されてもよい。例えば、エレベータ設備Ａへの階ドアが、いずれも人物Ｐに対して開かない。これとは別に、セキュリティサービスに警告してもよい。人物Ｐにエレベータケージへのアクセスを与え、次に例えば、セキュリティサービスが現場で、人物Ｐのアクセス認証Ｂ５のさらなる照合を実行するまで、エレベータのドアを閉め、ロックしたままにすることも可能である。例えば、エレベータケージは、一時的に停止されたり、安全な別の階、例えば地下階に移動させられたりして、そこで人物Ｐはセキュリティサービスによって迎えられる。本発明の理解によって、当業者は、多数の変形例の可能性を有している、例えば、アラーム信号Ｐ１３が存在する場合、エレベータ制御装置ＡＳは、人物Ｐのエレベータケージへのアクセスを認証し、エレベータのドアを閉め、エレベータケージを安全な別の階に移動させ、エレベータの故障に見せかけ、セキュリティサービスが、現場で人物Ｐのアクセス認証Ｂ５の更なる照合をするまで、人物Ｐに何の懸念も持たせない。
【図面の簡単な説明】
【００５５】
【図１】セキュリティを照合しまたは人物を輸送するためのシステムの基本的な図を示している。
【図２】セキュリティを照合しまたは人物を輸送するためのシステムの基本的な図を示している。
【符号の説明】
【００５６】
Ａ  エレベータ設備
ＡＳ  エレベータ制御装置
Ｂ１、Ｂ２、Ｂ３、Ｂ４  データ記憶装置
Ｂ５  アクセス認証
Ｃ  照合装置
Ｅ  固定認識装置
Ｆ  移動可能な認証装置
Ｐ  人物
Ｐ０  認証信号
Ｐ１  人物照会
Ｐ２  識別コード
Ｐ３  移動先
Ｐ４  ユーザ照会
Ｐ５  アクセス認証
Ｐ６  制御信号
Ｐ１３  アラーム信号
Ｓ  センサ
２０  建物
【図１】
2004352502.tif 000003
【図２】
2004352502.tif 000004
【外国語明細書】
2004352502.tif 000005
2004352502.tif 000006
2004352502.tif 000007
2004352502.tif 000008
2004352502.tif 000009
2004352502.tif 000010
2004352502.tif 000011
2004352502.tif 000012
2004352502.tif 000013
2004352502.tif 000014
2004352502.tif 000015
2004352502.tif 000016
2004352502.tif 000017
2004352502.tif 000018
2004352502.tif 000019